(57)【要約】【課題】  ネットワークの節電性能を改善することができる光端局装置、光終端装置、及び通信制御方法を提供する。【解決手段】  光端局装置は、伝送路の分岐先の複数の光終端装置にそれぞれ接続される複数の第１基地局と、前記複数の第１基地局の各セルと重なるセルをカバーする第２基地局から取得した情報に基づき前記複数の第１基地局をそれぞれ制御する制御装置との間の通信を中継する中継処理部と、前記制御装置から前記複数の第１基地局の１つに対するスリープ制御の指示を、前記中継処理部が中継する通信から検出する検出部と、前記スリープ制御の指示の検出に応じ、前記複数の光終端装置のうち、前記複数の第１基地局の１つに接続される光終端装置の状態を、前記伝送路を介し、稼働状態、または、前記稼働状態より消費電力が少ないスリープ状態に制御する制御部とを有する。【選択図】図２
2018207457.tif 000002
【特許請求の範囲】
【請求項１】
伝送路の分岐先の複数の光終端装置にそれぞれ接続される複数の第１基地局と、前記複数の第１基地局の各セルと重なるセルをカバーする第２基地局から取得した情報に基づき前記複数の第１基地局をそれぞれ制御する制御装置との間の通信を中継する中継処理部と、
前記制御装置から前記複数の第１基地局の１つに対するスリープ制御の指示を、前記中継処理部が中継する通信から検出する検出部と、
前記スリープ制御の指示の検出に応じ、前記複数の光終端装置のうち、前記複数の第１基地局の１つに接続される光終端装置の状態を、前記伝送路を介し、稼働状態、または、前記稼働状態より消費電力が少ないスリープ状態に制御する制御部とを有することを特徴とする光端局装置。
【請求項２】
前記制御部は、前記スリープ制御の指示の検出に応じ、前記複数の光終端装置のうち、前記複数の第１基地局の１つに接続される光終端装置の状態を制御する制御信号を生成し、
前記中継処理部は、前記中継する通信の信号のうち、前記複数の光終端装置に送信する信号に前記制御信号を時分割多重して送信することを特徴とする請求項１に記載の光端局装置。
【請求項３】
前記中継処理部が中継する通信の信号に他の信号を重畳する重畳部を有し、
前記制御部は、前記スリープ制御の指示の検出に応じ、前記複数の光終端装置のうち、前記複数の第１基地局の１つに接続される光終端装置の状態を制御する制御信号を生成し、
前記重畳部は、前記中継する通信の信号のうち、前記複数の光終端装置に送信する信号に前記制御信号を重畳することを特徴とする請求項１に記載の光端局装置。
【請求項４】
第１基地局と通信する第１通信処理部と、
前記第１基地局のセルと重なるセルをカバーする第２基地局から取得した情報に基づき前記第１基地局を制御する制御装置に接続される光端局装置と、前記光端局装置の分岐した伝送路を介し通信する第２通信処理部と、
前記制御装置から前記第１基地局に対するスリープ制御の指示を前記第２通信処理部から前記第１通信処理部に転送する転送処理部と、
前記光端局装置からの制御に従い前記第２通信処理部の状態を稼働状態、または、前記稼働状態より消費電力が少ないスリープ状態に設定する設定処理部とを有することを特徴とする光終端装置。
【請求項５】
光端局装置に接続された制御装置が、前記光端局装置の伝送路の分岐先の複数の光終端装置にそれぞれ接続される複数の第１基地局を、前記複数の第１基地局の各セルと重なるセルをカバーする第２基地局から取得した情報に基づき制御し、
前記光端局装置は、
前記複数の第１基地局と前記制御装置の間の通信を中継し、
前記制御装置から前記複数の第１基地局の１つに対するスリープ制御の指示を、前記中継する通信から検出し、
前記スリープ制御の指示の検出に応じ、前記複数の光終端装置のうち、前記複数の第１基地局の１つに接続される光終端装置の状態を、前記伝送路を介し、稼働状態、または、前記稼働状態より消費電力が少ないスリープ状態に制御し、
前記複数の第１基地局の１つに接続される光終端装置は、
第１通信処理部により前記複数の第１基地局の１つと通信し、
第２通信処理部により前記光端局装置と前記伝送路を介して通信し、
前記複数の第１基地局の１つに対する前記スリープ制御の指示を前記第２通信処理部から前記第１通信処理部に転送し、
前記光端局装置からの制御に従い前記第２通信処理部の状態を稼働状態、または、前記稼働状態より消費電力が少ないスリープ状態に設定することを特徴とする通信制御方法。
【発明の詳細な説明】
【技術分野】
【０００１】
本件は、光端局装置、光終端装置、及び通信制御方法に関する。
【背景技術】
【０００２】
スマートフォンなどの移動体端末の普及に伴って、移動体端末を無線通信ネットワークに接続する基地局が増加している。とりわけ、マクロセルをカバーするマクロセル基地局の局所的な帯域不足を補うため、マクロセルに重なるスモールセルをカバーするスモールセル基地局が増加している（例えば特許文献１参照）。
【０００３】
また、多数の基地局と上位側の装置を結ぶモバイルバックホールネットワークとして、光ファイバの設置コストが低いＰＯＮ（Passive Optical Network）が用いられる場合がある（例えば特許文献２及び３参照）。例えば、ＩＥＥＥ（the Institute of Electrical and Electrics Engineers, Inc.）８０２．３ａｈには、イーサネット（登録商標、以下同様）に準ずる１（Ｇｂｐｓ）以上のＧＥ（Gigabit Ethernet）−ＰＯＮに関する技術が規定されている（Ethernetは 登録商標、以下同様）。
【０００４】
ＰＯＮは、光端局装置及び複数の光終端装置が、光を分岐する光カプラを介して接続されたスター型のアクセス系光ネットワークである。光端局装置はＯＬＴ（Optical Line Termination）などと呼ばれ、光終端装置はＯＮＵ（Optical Network Unit）などと呼ばれる。モバイルバックホールネットワークとしてＰＯＮを用いた場合、光ファイバの設置コストの低減だけでなく、１台のＯＬＴにより複数の基地局のトラフィックを伝送できるという利点が得られる。
【先行技術文献】
【特許文献】
【０００５】
【特許文献１】特開２０１１−１０３５７０号公報
【特許文献２】国際公開第２０１４／１０３８０４号
【特許文献３】特開２０１１−１７６５５５号公報
【発明の概要】
【発明が解決しようとする課題】
【０００６】
スモールセル基地局が増加するほど、スモールセル基地局同士の電波干渉は顕著となり、通信品質が低下するおそれがある。このため、例えば、リンク中の移動体端末数が少ないスモールセル基地局をスリープ制御することにより、電波干渉の影響を低減するとともにスモールセル基地局の消費電力を低減することが考えられる。
【０００７】
ここで、複数のスモールセル基地局がＰＯＮを介し上位側の装置に接続される場合、スモールセル基地局のスリープ制御に連携するように、そのスモールセル基地局に接続されたＯＮＵをスリープ制御することで、ネットワーク全体でさらに消費電力を低減することが可能である。
【０００８】
しかし、例えば特許文献２に記載されているように、ｅＮＢからの情報に基づきＯＮＵがスリープ設定される場合、ＯＮＵは、スリープ設定の解除に備える必要から、消費電力の大きいｅＮＢ側の送受信回路の電源供給を長時間停止することが難しい。このため、ＯＮＵは、例えば周期的にｅＮＢ側の送受信回路に電源供給を行う必要がある。
【０００９】
また、例えば特許文献３に記載されているように、ＯＬＴが、監視制御システムの停波指示対象の基地局に応じたＯＮＵを待機状態に制御する場合、監視制御システムは、停波中の基地局の状態を検出できないため、停波中の基地局を稼働状態に戻すための判断ができない。このため、ＯＬＴは、監視制御システムが基地局の状態を検出するため、ＯＮＵを周期的に稼働状態に戻す必要がある。
【００１０】
このように、ＯＮＵのスリープ制御には、時間的な制限のため、ネットワークを有効に低消費電力化することができないという問題がある。
【００１１】
そこで本件は、ネットワークの節電性能を改善することができる光端局装置、光終端装置、及び通信制御方法を提供することを目的とする。
【課題を解決するための手段】
【００１２】
１つの態様では、光端局装置は、伝送路の分岐先の複数の光終端装置にそれぞれ接続される複数の第１基地局と、前記複数の第１基地局の各セルと重なるセルをカバーする第２基地局から取得した情報に基づき前記複数の第１基地局をそれぞれ制御する制御装置との間の通信を中継する中継処理部と、前記制御装置から前記複数の第１基地局の１つに対するスリープ制御の指示を、前記中継処理部が中継する通信から検出する検出部と、前記スリープ制御の指示の検出に応じ、前記複数の光終端装置のうち、前記複数の第１基地局の１つに接続される光終端装置の状態を、前記伝送路を介し、稼働状態、または、前記稼働状態より消費電力が少ないスリープ状態に制御する制御部とを有する。
【００１３】
１つの態様では、光終端装置は、第１基地局と通信する第１通信処理部と、前記第１基地局のセルと重なるセルをカバーする第２基地局から取得した情報に基づき前記第１基地局を制御する制御装置に接続される光端局装置と、前記光端局装置の分岐した伝送路を介し通信する第２通信処理部と、前記制御装置から前記第１基地局に対するスリープ制御の指示を前記第２通信処理部から前記第１通信処理部に転送する転送処理部と、前記光端局装置からの制御に従い前記第２通信処理部の状態を稼働状態、または、前記稼働状態より消費電力が少ないスリープ状態に設定する設定処理部とを有する。
【００１４】
１つの態様では、通信制御方法は、光端局装置に接続された制御装置が、前記光端局装置の伝送路の分岐先の複数の光終端装置にそれぞれ接続される複数の第１基地局を、前記複数の第１基地局の各セルと重なるセルをカバーする第２基地局から取得した情報に基づき制御し、前記光端局装置は、前記複数の第１基地局と前記制御装置の間の通信を中継し、前記制御装置から前記複数の第１基地局の１つに対するスリープ制御の指示を、前記中継する通信から検出し、前記スリープ制御の指示の検出に応じ、前記複数の光終端装置のうち、前記複数の第１基地局の１つに接続される光終端装置の状態を、前記伝送路を介し、稼働状態、または、前記稼働状態より消費電力が少ないスリープ状態に制御し、前記複数の第１基地局の１つに接続される光終端装置は、第１通信処理部により前記複数の第１基地局の１つと通信し、第２通信処理部により前記光端局装置と前記伝送路を介して通信し、前記複数の第１基地局の１つに対する前記スリープ制御の指示を前記第２通信処理部から前記第１通信処理部に転送し、前記光端局装置からの制御に従い前記第２通信処理部の状態を稼働状態、または、前記稼働状態より消費電力が少ないスリープ状態に設定する方法である。
【発明の効果】
【００１５】
１つの側面として、ネットワークの節電性能を改善することができる。
【図面の簡単な説明】
【００１６】
【図１】ネットワークの一例を示す構成図である。
【図２】スリープ開始処理の一例を示すシーケンス図である。
【図３】上りフレーム及び下りフレームの例を示す図である。
【図４】スリープ停止処理の一例を示すシーケンス図である。
【図５】ＯＬＴの一例を示す構成図である。
【図６】ＯＬＴの動作の一例を示すフローチャートである。
【図７】ＯＮＵの一例を示す構成図である。
【図８】ＯＮＵの動作の一例を示すフローチャートである。
【図９】ＯＬＴの他の例を示す構成図である。
【図１０】重畳信号の一例を示す波形図である。
【図１１】ＯＬＴの他の例を示す構成図である。
【図１２】ＯＬＴの重畳信号の送信処理の一例を示すフローチャートである。
【図１３】ＯＮＵの他の例を示す構成図である。
【図１４】ＯＮＵの他の例を示す構成図である。
【図１５】ＯＮＵの重畳信号の受信処理の一例を示すフローチャートである。
【発明を実施するための形態】
【００１７】
図１は、ネットワークの一例を示す構成図である。ネットワークには、ＯＬＴ１と、複数のＯＮＵ（＃１〜＃Ｎ（正の整数））２と、複数の小型基地局（＃１〜＃Ｎ）３と、大型基地局４と、ＲＮＣ（Radio Network Controller）５と、複数の移動体端末Ｔとが含まれる。
【００１８】
ＯＬＴ１及び複数のＯＮＵ２は、分岐した光ファイバ９を介して接続されることによりＰＯＮを構成する。ＰＯＮは、無線通信ネットワークにおける小型基地局３とＲＮＣ５を結ぶモバイルバックホールネットワークとして用いられる。この構成により、ＰＯＮは、ＲＮＣ５と小型基地局３の間の通信を中継する。なお、ＰＯＮとしては、一例としてＩＥＥＥ８０２．３ａｈに規定されたＧＥ−ＰＯＮが挙げられるが、これに限定されない。
【００１９】
ＯＬＴ１は、例えば通信事業者の局舎内に設置される光端局装置であり、ＯＮＵ２は、例えば屋外のキャビネットなどに収容される光終端装置である。ＯＬＴ１は、伝送路の一例である光ファイバ９を介し複数のＯＮＵ２に接続されている。光ファイバ９は、光スプリッタ８により複数本に分岐する。各ＯＮＵ２は光ファイバ９の分岐先にそれぞれ接続されている。
【００２０】
各ＯＮＵ２は、例えばＬＡＮ（Local Area Network）を介して小型基地局３に接続されている。各小型基地局３は、第１基地局の一例であり、スモールセルＳＣ（点線の丸を参照）をカバーし、スモールセルＳＣ内の移動体端末Ｔとリンクして通信する。なお、移動体端末Ｔとしては、例えばスマートフォンが挙げられるが、これに限定されない。
【００２１】
大型基地局４は、第２基地局の一例であり、各小型基地局３のスモールセルＳＣと重なるマクロセルＭＣ（点線の丸を参照）をカバーする。このため、マクロセルＭＣは、全てのスモールセルＳＣより広い領域を有する。なお、マクロセルＭＣ及びスモールセルＳＣはセルの一例である。
【００２２】
大型基地局４としては例えばマクロセル基地局が挙げられ、小型基地局３としては例えばスモールセル基地局が挙げられる。小型基地局３は、大型基地局４の局所的な帯域不足を補うために設けられる。
【００２３】
大型基地局４は、マクロセルＭＣ内の移動体端末Ｔのうち、小型基地局３とリンク中の移動体端末Ｔを除いた移動体端末Ｔとリンクして通信する。ただし、大型基地局４は、自装置とリンクしていない移動体端末Ｔであっても、例えばマクロセルＭＣ内の移動体端末Ｔから出力される電波から、移動体端末Ｔの位置や状態などを検出することができる。大型基地局４は、検出結果から、例えばスモールセルＳＣごとの移動体端末Ｔの数を示す端末情報を生成する。
【００２４】
ＲＮＣ５は、点線で示されるように、大型基地局４と所定のネットワークを介して通信する。ＲＮＣ５は、大型基地局４から各種の情報を取得し、その情報に基づいて各小型基地局３を制御する。ＲＮＣ５は、小型基地局３に対し、例えば、通信チャネルの設定、帯域の設定、及びスリープ制御などを行う。
【００２５】
また、ＲＮＣ５は、ＰＯＮを介して各小型基地局３と通信する。このため、ＲＮＣ５はＯＬＴ１のＳＮＩ（Service Network Interface）に接続され、小型基地局３は、光ファイバ９の分岐先のＯＮＵ２のＵＮＩ（User Network Interface）に接続される。なお、ＲＮＣ５は、複数の小型基地局３を制御する制御装置の一例である。
【００２６】
ＰＯＮは、ＯＬＴ１及び複数のＯＮＵ２が光カプラ８を介して接続されたスター型のアクセス系光ネットワークである。このため、モバイルバックホールネットワークとしてＰＯＮを用いた場合、光ファイバ９の設置コストの低減だけでなく、１台のＯＬＴにより複数の小型基地局３のトラフィックを伝送できるという利点が得られる。
【００２７】
本明細書では、ＯＬＴ１から各ＯＮＵ２に向かう伝送方向を「下り方向」と表記し、各ＯＮＵ２からＯＬＴ１に向かう伝送方向を「上り方向」と表記する。ＯＬＴ１と各ＯＮＵ２の間には、所定のシーケンスにより１以上の論理リンク（LL: Logical Link）が確立される。ＯＬＴ１は、各ＯＮＵ２に下りフレームＦｄを送信し、各ＯＮＵ２は、ＯＬＴ１に上りフレームＦｕを送信する。下りフレームＦｄ及び上りフレームＦｕには、ＯＬＴ１及びＯＮＵ２により論理リンクを識別するＬＬＩＤ（Logical Link Identifier）が付与される。
【００２８】
各ＯＮＵ２は、ＯＬＴ１から論理リンクごとに指定されたタイミングで上りフレームＦｕを送信する。このため、各ＯＮＵ２から送信された上りフレームＦｕ（＃１）〜Ｆｕ（＃ｎ）同士が光ファイバ９内で衝突することはない。
【００２９】
また、ＯＬＴ１は、各ＯＮＵ２宛ての下りフレームＦｄを時分割多重して送信する。各ＯＮＵ２は、ＬＬＩＤに基づき自装置宛ての下りフレームＦｄだけを選択して小型基地局３に送信し、他のＯＮＵ２宛ての下りフレームＦｄを廃棄する。このため、下りフレームＦｄは、ＲＮＣ５からＰＯＮを介し宛先の小型基地局３に伝送される。なお、上りフレームＦｕ及び下りフレームＦｄとしては、イーサネットフレームが挙げられるが、これに限定されない。
【００３０】
小型基地局３が増加するほど、小型基地局３同士の電波干渉は顕著となり、通信品質が低下するおそれがある。このため、ＲＮＣ５は、例えば、リンク中の移動体端末数が少ない小型基地局３をスリープ制御することにより、電波干渉の影響を低減するとともに小型基地局３の消費電力を低減する。
【００３１】
ＲＮＣ５は、例えば、大型基地局４からスモールセルＳＣごとの移動体端末Ｔの分布に関する端末情報を取得し、端末情報に基づき小型基地局３を制御する。ＲＮＣ５は、例えば、スモールセルＳＣ内の移動体端末Ｔの数が所定数（例えば３台）以下の小型基地局３をスリープ状態に制御する。なお、端末情報は、ＲＮＣ５が大型基地局４から取得される情報の一例である。
【００３２】
ＯＬＴ１は、小型基地局３のスリープ制御に連携するように、その小型基地局３に接続されたＯＮＵ２をスリープ制御することで、ネットワーク全体でさらに消費電力を低減する。以下に、小型基地局３及びＯＮＵ２のスリープ開始処理のシーケンスを説明する。
【００３３】
図２は、スリープ開始処理の一例を示すシーケンス図である。本例では、１台の小型基地局３及びＯＮＵ２をスリープ状態とする場合を挙げるが、複数台の小型基地局３及びＯＮＵ２をスリープ状態とする場合、以下と同様のスリープ処理が繰り返される。
【００３４】
大型基地局４は、移動体端末Ｔの分布状態を検出して端末情報を生成し、ＲＮＣ５に送信する。大型基地局４は、ＲＮＣ５からの要求に応じて端末情報を送信してもよいし、周期的に端末情報を送信してもよい。
【００３５】
ＲＮＣ５は、端末情報に基づき各小型基地局３のスリープ設定の可否を判定する（符号Ｓ１）。ＲＮＣ５は、ある小型基地局３のスリープ設定が可能であると判定した場合（「スリープ可」参照）、その小型基地局３に対しスリープ状態への移行を指示する信号（以下、「スリープ指示信号」と表記）をＯＬＴ１に送信する。なお、スリープ指示信号は、ＲＮＣ５から小型基地局３に対するスリープ制御の指示の一例である。
【００３６】
ＯＬＴ１は、ＲＮＣ５から小型基地局３に下りフレームＦｄを中継する。ＯＬＴ１は、下りフレームＦｄからスリープ指示信号を検出する（符号Ｓ２）。スリープ指示信号は、例えば下りフレームＦｄ内の所定の識別子（命令コードなど）に基づき検出される。
【００３７】
次に、ＯＬＴ１はスリープ指示信号をＯＮＵ２に送信する。ＯＮＵ２には、光ファイバ９を介しＯＬＴ１と通信するＰＯＮインターフェース（ＰＯＮ−ＩＦ）２ａと、小型基地局３と通信するＵＮＩ２ｂとが設けられている。なお、ＵＮＩ２ｂは第１通信処理部の一例であり、ＰＯＮ−ＩＦ２ａは第２通信処理部の一例である。
【００３８】
ＯＮＵ２は、ＰＯＮ−ＩＦ２ａにおいてスリープ指示信号を受信する。スリープ指示信号は、ＰＯＮ−ＩＦ２ａから、小型基地局３と通信するＵＮＩ２ｂに転送され（点線参照）、ＵＮＩ２ｂから小型基地局３に送信される。小型基地局３は、スリープ指示信号に従って稼働状態からスリープ状態に移行する（符号Ｓ３）。スリープ状態は、稼働状態より消費電力が少ない状態であり、この定義はＯＮＵ２についても同様である。
【００３９】
ＯＬＴ１は、スリープ指示信号の検出に応じ、光ファイバ９を介しＯＮＵ２の状態をスリープ状態に制御する。より具体的には、ＯＬＴ１は、ＯＮＵ２を稼働状態からスリープ状態に移行させる制御信号（以下、「スリープ制御信号」と表記）をＯＮＵ２に送信する。
【００４０】
ＯＮＵ２は、ＰＯＮ−ＩＦ２ａにおいてスリープ制御信号を受信し、スリープ制御信号に従ってＵＮＩ２ｂをスリープ状態に移行させる（符号Ｓ４）。次に、ＯＮＵ２は、スリープ制御の完了を通知する応答信号をＯＬＴ１に送信し、ＰＯＮ−ＩＦ２ａの送信機能だけをスリープ状態に移行させる（符号Ｓ５）。これにより、ＯＮＵ２は、ＰＯＮ−ＩＦ２ａの送信機能とＵＮＩ２ｂの各状態をスリープ状態とすることができる。
【００４１】
このようにして、スリープ開始処理は実行される。なお、スリープ開始処理は、通信制御方法の一例である。ここで、上りフレームＦｕ及び下りフレームＦｄの構成について述べる。
【００４２】
図３は、上りフレームＦｕ及び下りフレームＦｄの例を示す図である。図３の横軸は時間を示す。上りフレームＦｕには、送信先のＯＮＵ２に応じたＬＬＩＤ（＃１〜＃Ｎ）が付与されており、下りフレームＦｄには、送信元のＯＮＵ２に応じたＬＬＩＤが付与されている。
【００４３】
ＯＬＴ１は、各ＯＮＵ２を宛先とする下りフレームＦｄを時分割多重して送信する。また、各ＯＮＵ２は、ＯＬＴ１から論理リンクごとに指定されたタイミングｔ１，ｔ２で上りフレームＦｕを送信する。上りフレームＦｕの先頭には、ＯＬＴ１が上りフレームＦｕを検出するための同期パタンを含むオーバヘッドＯＨが付与されている。
【００４４】
また、上りフレームＦｕ及び下りフレームＦｄには、ＲＮＣ５と小型基地局３の間で送受信されるユーザフレームと、ＯＬＴ１とＯＮＵ２の間で送受信される制御フレームとが含まれる。上りフレームＦｕ及び下りフレームＦｄは、宛先を示すＤＡ（Destination Address）、送信元を示すＳＡ（Source Address）、フラグ、フレーム種別を示すタイプ、ペイロード、及び誤り訂正符号のＦＣＳ（Frame Check Sequence）を有する。なお、フラグは、例えば上りフレームＦｕ及び下りフレームＦｄにＯＭＣＩ（Optical network terminal Management and Control Interface）メッセージ（制御メッセージ及び応答メッセージ）が含まれるか否かを示す。
【００４５】
下り方向のユーザフレームの一部のペイロードには、ＲＮＣ５から小型基地局３に対するスリープ指示信号またはスリープ停止指示信号が収容されている。ＯＬＴ１は、スリープ指示信号またはスリープ停止指示信号を所定の識別子に基づき検出する。なお、スリープ停止指示信号は、ＲＮＣ５から小型基地局３に対しスリープ制御の停止を指示する信号である。
【００４６】
また、下り方向の制御フレームのペイロードには、制御メッセージと、メッセージ種別を示すコードが収容されている。制御メッセージには、ＯＮＵ２の状態をスリープ状態に移行させるスリープ開始メッセージと、ＯＮＵ２の状態を稼働状態に移行させるスリープ停止メッセージとがある。スリープ開始メッセージは上記のスリープ制御信号に該当し、スリープ停止メッセージは、後述するスリープ停止制御信号に該当する。なお、制御メッセージには、ＯＬＴ１とＯＮＵ２の間で論理リンクを確立し、ＯＬＴ１からＯＮＵ２にＬＬＩＤを割り当てるためのメッセージもある。
【００４７】
また、上り方向の制御フレームのペイロードには、応答メッセージと、メッセージ種別を示すコードが収容されている。応答メッセージは、ＯＬＴ１からの制御メッセージに対するＯＮＵ２の応答であり、上記の応答信号に該当する。
【００４８】
次に、小型基地局３及びＯＮＵ２のスリープ停止処理のシーケンスを説明する。
【００４９】
図４は、スリープ停止処理の一例を示すシーケンス図である。大型基地局４は、移動体端末Ｔの分布状態を検出して端末情報を生成し、ＲＮＣ５に送信する。
【００５０】
ＲＮＣ５は、端末情報に基づき各小型基地局３のスリープ設定の可否を判定する（符号Ｓ１１）。ＲＮＣ５は、ある小型基地局３のスリープ設定が可能であると判定した場合（「スリープ不可」参照）、その小型基地局３に対し稼働状態への移行を指示する信号（以下、「スリープ停止指示信号」と表記）をＯＬＴ１に送信する。なお、スリープ停止指示信号は、ＲＮＣ５から小型基地局３に対するスリープ制御の指示の一例である。
【００５１】
ＯＬＴ１は、下りフレームＦｄからスリープ停止指示信号を検出する（符号Ｓ１２）。スリープ停止指示信号は、例えば下りフレームＦｄ内の所定の識別子（命令コードなど）に基づき検出される。
【００５２】
ＯＬＴ１は、スリープ停止指示信号の検出に応じ、光ファイバ９を介しＯＮＵ２の状態を稼働状態に制御する。より具体的には、ＯＬＴ１は、ＯＮＵ２をスリープ状態から稼働状態に移行させる制御信号（以下、「スリープ停止制御信号」と表記）をＯＮＵ２に送信する。
【００５３】
ＯＮＵ２は、ＰＯＮ−ＩＦ２ａにおいてスリープ停止制御信号を受信し、スリープ停止制御信号に従ってＵＮＩ２ｂを稼働状態に移行させる（符号Ｓ１３）。次に、ＯＮＵ２は、スリープ制御の完了を通知する応答信号をＯＬＴ１に送信し、ＰＯＮ−ＩＦ２ａの送信機能を稼働状態に移行させる（符号Ｓ１４）。これにより、ＯＮＵ２は、ＰＯＮ−ＩＦ２ａの送信機能とＵＮＩ２ｂをスリープ状態から稼働状態に戻すことができる。
【００５４】
ＯＬＴ１は、スリープ停止制御信号の送信後にスリープ停止指示信号をＯＮＵ２送信する。このため、ＯＮＵ２は、スリープ停止指示信号の小型基地局３への送信に先立って、ＰＯＮ−ＩＦ２ａの送信機能とＵＮＩ２ｂが稼働状態に戻すことができる。
【００５５】
ＯＮＵ２は、ＰＯＮ−ＩＦ２ａにおいてスリープ停止指示信号を受信する。スリープ停止指示信号は、ＰＯＮ−ＩＦ２ａからＵＮＩ２ｂに転送され（点線参照）、ＵＮＩ２ｂから小型基地局３に送信される。小型基地局３は、スリープ停止指示信号に従ってスリープ状態から稼働状態に移行する（符号Ｓ１５）。
【００５６】
このようにして、スリープ停止処理は実行される。なお、スリープ停止処理は、通信制御方法の一例である。
【００５７】
上述したように、ＲＮＣ５は、複数の小型基地局３を大型基地局４から取得した端末情報に基づき制御する。ＯＬＴ１は、複数の小型基地局３とＲＮＣ５の間の通信を中継し、ＲＮＣ５から小型基地局３に対するスリープ制御の指示を、その中継する通信から検出する。ＯＬＴ１は、スリープ制御の指示の検出に応じ、その指示対象の小型基地局３に接続されたＯＮＵ２の状態を、光ファイバ９を介し稼働状態またはスリープ状態に制御する。
【００５８】
ＯＮＵ２は、ＵＮＩ２ｂによりその小型基地局３と通信し、ＰＯＮ−ＩＦ２ａにより光ファイバ９を介しＯＬＴ１と通信する。ＯＮＵ２は、スリープ制御の指示をＰＯＮ−ＩＦ２ａからＵＮＩ２ｂに転送し、ＯＬＴ１からの制御に従ってＵＮＩ２ｂの状態を稼働状態またはスリープ状態に設定する。
【００５９】
ＲＮＣ５は、大型基地局４から取得した端末情報に基づき複数の小型基地局３を制御するため、ＯＮＵ２のＵＮＩ２ｂがスリープ状態であっても、そのＯＮＵ２に接続された小型基地局３の状態を端末情報から検出することができる。このため、ＯＬＴ１は、上記の特許文献３とは異なり、ＲＮＣ５が小型基地局３の状態を検出するために、ＯＮＵ２のＵＮＩ２ｂを稼働状態に制御する必要がない。
【００６０】
また、ＯＬＴ１は、ＲＮＣ５から小型基地局３へのスリープ制御の指示の検出に応じ、ＯＮＵ２の状態を、光ファイバ９を介し稼働状態またはスリープ状態に制御する。一方、ＯＮＵ２は、スリープ制御の指示をＰＯＮ−ＩＦ２ａからＵＮＩ２ｂに転送し、ＯＬＴ１からの制御に従ってＵＮＩ２ｂの状態を稼働状態またはスリープ状態に設定する。
【００６１】
したがって、ＯＮＵ２は、ＯＬＴ１からＰＯＮ−ＩＦ２ａ経由でスリープ制御が行われるため、上記の特許文献２とは異なり、ＵＮＩ２ｂをスリープ状態とする場合の時間的な制限が緩和される。よって、上記の通信制御方法によると、ネットワークの節電性能を改善することができる。
【００６２】
次にＯＬＴ１の構成について述べる。
【００６３】
図５は、ＯＬＴ１の一例を示す構成図である。ＯＬＴ１は、ＣＰＵ（Central Processing Unit）１０と、ＲＯＭ（Read Only Memory）１１と、ＲＡＭ（Random Access Memory）１２と、ＳＲＡＭ（Static RAM）１３と、ハードウェアインターフェース部（ＨＷ−ＩＦ）１８とを有する。ＣＰＵ１０は、互いに信号の入出力ができるように、ＲＯＭ１１、ＲＡＭ１２、ＳＲＡＭ１３、及びＨＷ−ＩＦ１８と、バス１９を介して接続されている。なお、ＣＰＵ１０に代えて、ＭＰＵ（Micro Processor Unit）などの他のプロセッサが用いられてもよく、またＳＲＡＭ１３に代えて他の記憶手段が用いられてもよい。
【００６４】
また、ＯＬＴ１は、送受信器１４と、フレーム処理部１５と、光合分波部１７と、電気−光変換部（Ｅ／Ｏ）１６０と、光−電気変換部（Ｏ／Ｅ）１６１とを有する。
【００６５】
光合分波部１７は、例えばＷＤＭ（Wavelength Division Multiplexing）カプラであり、各ＯＮＵ２から光ファイバ９を介して入力された光信号を光−電気変換部１６１に導き、電気−光変換部１６０から入力された光信号を光ファイバ９に導く。なお、光合分波部１７と光−電気変換部１６１及び電気−光変換部１６０の間の点線の矢印は、光信号の出力方向を示す。
【００６６】
光−電気変換部１６１は、例えばフォトダイオードなどの回路から構成され、光合分波部１７から入力された光信号を電気信号に変換してフレーム処理部１５に出力する。電気信号には上りフレームＦｕが含まれている。電気−光変換部１６０は、例えばレーザダイオードなどを含む回路により構成され、フレーム処理部１５から入力された下りフレームＦｄの電気信号を光信号に変換して光合分波部１７に出力する。
【００６７】
フレーム処理部１５は、中継処理部の一例であり、複数の小型基地局３とＲＮＣ５との間の通信を中継する。より具体的には、フレーム処理部１５は、送受信器１４から入力された下りフレームＦｄを処理して電気−光変換部１６０に出力し、光−電気変換部１６１から入力された上りフレームＦｕを処理して送受信器１４に出力する。なお、フレーム処理部１５は、例えばＦＰＧＡ（Field Programmable Gate Array）やＡＳＩＣ（Application Specified Integrated Circuit）などの論理回路から構成される。
【００６８】
フレーム処理部１５は、上りフレームＦｕに付与されたオーバヘッドＯＨの同期パタンを検出することにより上りフレームＦｕを受信する。フレーム処理部１５は、上りフレームＦｕに付与されたＬＬＩＤに基づき上りフレームＦｕの送信元のＯＮＵ２を判定し、上りフレームＦｕからＬＬＩＤを削除する。フレーム処理部１５は、上りフレームＦｕのうち、ユーザフレームを送受信器１４に出力し、制御フレームから応答メッセージを取得してＨＷ−ＩＦ１８を介しＣＰＵ１０に出力する。
【００６９】
また、フレーム処理部１５は、下りフレームＦｄに、送信先のＯＮＵ２との間の論理リンクに応じたＬＬＩＤを付与し電気−光変換部１６０に出力する。論理リンクごとのＬＬＩＤは、ＣＰＵ１０からＨＷ−ＩＦ１８を介してフレーム処理部１５に設定される。
【００７０】
また、フレーム処理部１５には、ＣＰＵ１０からＨＷ−ＩＦ１８を介し制御メッセージが入力される。フレーム処理部１５は、制御メッセージを含む制御フレームを生成して電気−光変換部１６０に出力する。
【００７１】
フレーム処理部１５は、各ＯＮＵ２に送信するユーザフレームの信号に制御フレームの信号を時分割多重して送信する。このため、ＯＬＴ１は、制御フレームの信号をユーザフレームの信号に重畳する場合（後述）より低コストで構成される。
【００７２】
送受信器１４は、ＲＮＣ５との間でデータ信号を送受信し、フレーム処理部１５との間でユーザフレームを入出力する。データ信号の形態としては、例えばＡＴＭ（Asynchronous Transfer Mode）セルが挙げられるが、これに限定されない。
【００７３】
送受信器１４は、ＲＮＣ５からデータ信号を受信してユーザフレームに変換しフレーム処理部１５に出力する。また、送受信器１４は、フレーム処理部１５から入力されたユーザフレームをデータ信号に変換してＲＮＣ５に送信する。なお、送受信器１４は、例えばＡＳＩＣまたはＦＰＧＡなどの回路で構成される。
【００７４】
ＲＯＭ１１は、ＣＰＵ１０を駆動するプログラムが格納されている。ＲＡＭ１２は、ＣＰＵ１０のワーキングメモリとして機能する。ＨＷ−ＩＦ１８は、フレーム処理部１５をバス１９に接続することにより、ＣＰＵ１０とフレーム処理部１５の通信を中継する（点線の矢印を参照）。なお、ＨＷ−ＩＦ１８は、例えばＦＰＧＡやＡＳＩＣなどの論理回路から構成される。
【００７５】
ＳＲＡＭ１３には、基地局管理テーブル１３０と、フレームデータ１３１とが格納されている。基地局管理テーブル１３０は、ＯＮＵ２と、ＯＮＵ２に接続された小型基地局３の対応関係が登録されている。ＣＰＵ１０は、基地局管理テーブル１３０に基づいて、スリープ制御の対象のＯＮＵ２を判定する。なお、基地局管理テーブル１３０は、例えばネットワーク監視制御装置などから登録される。
【００７６】
また、フレームデータ１３１は、送受信器１４からフレーム処理部１５に入力されたユーザフレームのデータである。フレームデータ１３１は、ＣＰＵ１０によりフレーム処理部１５から取得され、ＲＮＣ５から小型基地局３に対するスリープ制御の指示の検出に用いられる。
【００７７】
ＣＰＵ１０は、ＲＯＭ１１からプログラムを読み込むと、機能として、動作制御部１００、リンク制御部１０１、フレーム取得部１０２、指示検出部１０３、及びスリープ制御部１０４が形成される。動作制御部１００は、ＯＬＴ１の全体の動作を制御し、所定のシーケンスに従いリンク制御部１０１、フレーム取得部１０２、指示検出部１０３、及びスリープ制御部１０４に動作を指示する。なお、動作制御部１００、リンク制御部１０１、フレーム取得部１０２、指示検出部１０３、及びスリープ制御部１０４は、例えばＦＰＧＡやＡＳＩＣなどの論理回路から構成されてもよい。
【００７８】
リンク制御部１０１は、ＯＮＵ２との間で論理リンクを確立し、論理リンクごとにＬＬＩＤを割り当てる。このとき、リンク制御部１０１は、ＯＮＵ２との間で制御メッセージを送受信する。リンク制御部１０１は、フレーム処理部１５に対しＬＬＩＤを設定する。
【００７９】
フレーム取得部１０２は、送受信器１４からフレーム処理部１５に入力されたユーザフレームを、ＨＷ−ＩＦ１８を介しフレーム処理部１５から取得する。フレーム取得部１０２は、ユーザフレームのフレームデータ１３１をＳＲＡＭ１３に格納する。
【００８０】
指示検出部１０３は、検出部の一例であり、ＲＮＣ５から小型基地局３に対するスリープ制御の指示を、フレーム処理部１５が中継する通信から検出する。より具体的には、指示検出部１０３は、ＳＲＡＭ１３内のフレームデータ１３１から所定の識別子に基づきスリープ制御の指示、つまりスリープ指示信号またはスリープ停止指示信号を検出する。指示検出部１０３は、検出結果を動作制御部１００に通知する。動作制御部１００は、検出結果に応じてスリープ制御部１０４に動作を指示する。
【００８１】
スリープ制御部１０４は、制御部の一例であり、スリープ制御の指示の検出に応じ、小型基地局３の１つに接続されるＯＮＵ２の状態を、光ファイバ９を介し、稼働状態またはスリープ状態に制御する。より具体的には、スリープ制御部１０４は、動作制御部１００の指示に従ってＯＮＵ２の状態を制御する。
【００８２】
スリープ制御部１０４は、指示検出部１０３によりフレームデータ１３１からスリープ指示信号またはスリープ停止指示信号が検出された場合、その指示対象の小型基地局３に対応するＯＮＵ２を基地局管理テーブル１３０から検索する。スリープ制御部１０４は、スリープ指示信号が検出された場合、そのＯＮＵ２を宛先とするスリープ制御信号を生成し、制御メッセージとしてフレーム処理部１５に出力する。
【００８３】
また、スリープ制御部１０４は、スリープ停止指示信号が検出された場合、そのＯＮＵ２を宛先とするスリープ停止制御信号を生成し、制御メッセージとしてフレーム処理部１５に出力する。フレーム処理部１５は、スリープ制御部１０４から入力された制御メッセージを含む制御フレームを生成して、該当するＬＬＩＤを付与してＯＮＵ２に送信する。
【００８４】
動作制御部１００は、指示検出部１０３の検出処理の完了後、ＳＲＡＭ１３内のフレームデータ１３１を、ＨＷ−ＩＦ１８を介しフレーム処理部１５に出力する。これにより、ユーザフレームは、フレーム処理部１５から電気−光変換部１６０に出力される。
【００８５】
スリープ制御部１０４は、スリープ指示信号が検出された場合、動作制御部１００がフレームデータ１３１をフレーム処理部１５に出力した後、スリープ制御信号をフレーム処理部１５に出力する。このため、ＯＮＵ２は、スリープ指示信号を小型基地局３に送信した後にＵＮＩ２ｂをスリープ設定することができる。
【００８６】
また、スリープ制御部１０４は、スリープ停止指示信号が検出された場合、動作制御部１００がフレームデータ１３１をフレーム処理部１５に出力する前に、スリープ制御信号をフレーム処理部１５に出力する。このため、ＯＮＵ２は、スリープ停止指示信号を小型基地局３に送信するのに先立って、ＵＮＩ２ｂのスリープ設定を解除することができる。
【００８７】
図６は、ＯＬＴ１の動作の一例を示すフローチャートである。本フローチャートは、ＯＮＵ２に下りフレームＦｄを送信する処理の一例を示す。
【００８８】
フレーム処理部１５は、ＲＮＣ５からユーザフレームを受信する（ステップＳｔ１）。次に、フレーム取得部１０２は、フレーム処理部１５からユーザフレームのフレームデータ１３１を取得してＳＲＡＭ１３に格納する（ステップＳｔ２）。
【００８９】
次に、動作制御部１００は、指示検出部１０３がフレームデータ１３１からスリープ指示信号を検出したか否かを判定する（ステップＳｔ３）。指示検出部１０３がスリープ指示信号を検出した場合（ステップＳｔ３のＹｅｓ）、フレーム処理部１５は、動作制御部１００からフレームデータ１３１が入力されることにより、各ＯＮＵ２にユーザフレームを送信する（ステップＳｔ４）。
【００９０】
スリープ制御部１０４は、動作制御部１００に指示に従って、スリープ指示信号の指示先の小型基地局３に対応するＯＮＵ２を基地局管理テーブル１３０から検索する（ステップＳｔ５）。次に、スリープ制御部１０４は、そのＯＮＵ２を宛先とするスリープ制御信号を生成する（ステップＳｔ６）。スリープ制御信号はスリープ制御部１０４からフレーム処理部１５に入力される。
【００９１】
フレーム処理部１５は、スリープ制御信号を制御メッセージとする制御フレームを生成する（ステップＳｔ７）。次に、フレーム処理部１５は、検索したＯＮＵ２の論理リンクに該当するＬＬＩＤを制御フレームに付与し、制御フレームをＯＮＵ２に送信する（ステップＳｔ８）。このとき、フレーム処理部１５はユーザフレームの信号に制御フレームの信号を時分割多重して送信するため、ＯＬＴ１のコストは、信号同士を重畳する場合（後述）より低減される。
【００９２】
次に、フレーム処理部１５は、スリープ制御信号に対する応答メッセージをＯＮＵ２から受信して（ステップＳｔ９）、処理を終了する。
【００９３】
また、動作制御部１００は、指示検出部１０３がスリープ指示信号を検出していない場合（ステップＳｔ３のＮｏ）、指示検出部１０３がフレームデータ１３１からスリープ停止指示信号を検出したか否かを判定する（ステップＳｔ１０）。
【００９４】
指示検出部１０３がスリープ停止指示信号を検出した場合（ステップＳｔ１０のＹｅｓ）、スリープ制御部１０４は、動作制御部１００に指示に従って、スリープ停止指示信号の指示先の小型基地局３に対応するＯＮＵ２を基地局管理テーブル１３０から検索する（ステップＳｔ１１）。次に、スリープ制御部１０４は、そのＯＮＵ２を宛先とするスリープ停止制御信号を生成する（ステップＳｔ１２）。スリープ停止制御信号はスリープ制御部１０４からフレーム処理部１５に入力される。
【００９５】
フレーム処理部１５は、スリープ停止制御信号を制御メッセージとする制御フレームを生成する（ステップＳｔ１３）。次に、フレーム処理部１５は、検索したＯＮＵ２の論理リンクに該当するＬＬＩＤを制御フレームに付与し、制御フレームをＯＮＵ２に送信する（ステップＳｔ１４）。このとき、フレーム処理部１５はユーザフレームの信号に制御フレームの信号を時分割多重して送信する。
【００９６】
次に、フレーム処理部１５は、スリープ制御信号に対する応答メッセージをＯＮＵ２から受信する（ステップＳｔ１５）。次に、フレーム処理部１５は、動作制御部１００からフレームデータ１３１が入力されることにより、各ＯＮＵ２にユーザフレームを送信して（ステップＳｔ１６）、処理を終了する。
【００９７】
また、指示検出部１０３がスリープ停止指示信号を検出していない場合（ステップＳｔ１０のＮｏ）、フレーム処理部１５は、動作制御部１００からフレームデータ１３１が入力されることにより、各ＯＮＵ２にユーザフレームを送信して（ステップＳｔ１７）、処理を終了する。このようにして、ＯＬＴ１は動作する。
【００９８】
上述したように、フレーム処理部１５は、複数の小型基地局３を大型基地局４から取得した端末情報に基づき制御するＲＮＣ５と、小型基地局３との間の通信を中継する。指示検出部１０３は、ＲＮＣ５から小型基地局３に対するスリープ制御の指示を、その中継する通信から検出する。スリープ制御部１０４は、スリープ制御の指示の検出に応じ、その指示対象の小型基地局３に接続されたＯＮＵ２の状態を、光ファイバ９を介し稼働状態またはスリープ状態に制御する。
【００９９】
ＲＮＣ５は、複数の小型基地局３を大型基地局４から取得した端末情報に基づき制御するため、ＯＮＵ２がスリープ状態であっても、そのＯＮＵ２に接続された小型基地局３の状態を端末情報から検出することができる。このため、ＯＬＴ１は、上記の特許文献３とは異なり、ＲＮＣ５が小型基地局３の状態を検出するために、ＯＮＵ２を稼働状態に制御する必要がない。
【０１００】
また、ＯＬＴ１は、ＲＮＣ５から小型基地局３へのスリープ制御の指示の検出に応じ、ＯＮＵ２の状態を、光ファイバ９を介し稼働状態またはスリープ状態に制御する。したがって、ＯＬＴ１は、ＰＯＮ−ＩＦ２ａ経由でＯＮＵ２をスリープ制御するため、上記の特許文献２とは異なり、ＵＮＩ２ｂをスリープ状態とする場合の時間的な制限が緩和される。よって、ＯＬＴ１によると、ネットワークの節電性能を改善することができる。
【０１０１】
また、スリープ制御部１０４は、スリープ制御の指示の検出に応じ、指示先の小型基地局３に接続されるＯＮＵ２の状態を制御する制御信号を生成し、フレーム処理部１５は、各ＯＮＵ２に送信する信号にスリープ制御信号またはスリープ停止制御信号を時分割多重して送信する。このため、ＯＬＴ１のコストが、信号同士を重畳する場合より低減される。
【０１０２】
図７は、ＯＮＵ２の一例を示す構成図である。ＯＮＵ２は、ＣＰＵ２０と、ＲＯＭ２１と、ＲＡＭ２２と、ハードウェアインターフェース部（ＨＷ−ＩＦ）２３とを有する。ＣＰＵ２０は、互いに信号の入出力ができるように、ＲＯＭ２１、ＲＡＭ２２、及びＨＷ−ＩＦ２３と、バス２９を介して接続されている。なお、ＣＰＵ２０に代えて、ＭＰＵなどの他のプロセッサが用いられてもよい。
【０１０３】
また、ＯＮＵ２は、光合分波部２８と、光−電気変換部（Ｏ／Ｅ）２７０と、電気−光変換部（Ｅ／Ｏ）２７１と、フレーム処理部２５と、送受信器２４とを有する。光−電気変換部２７０と電気−光変換部２７１はＰＯＮ−ＩＦ２ａに該当し、送受信器２４はＵＮＩ２ｂに該当する。
【０１０４】
光合分波部２８は、例えばＷＤＭカプラであり、ＯＬＴ１から光ファイバ９を介して入力された光信号を光−電気変換部２７０に導き、電気−光変換部２７１から入力された光信号を光ファイバ９に導く。なお、光合分波部２８と光−電気変換部２７０及び電気−光変換部２７１の間の点線の矢印は、光信号の出力方向を示す。
【０１０５】
光−電気変換部２７０は、例えばフォトダイオードなどの回路から構成され、ＯＬＴ１から入力された光信号を電気信号に変換してフレーム処理部２５に出力する。電気信号には下りフレームＦｄが含まれている。電気−光変換部２７１は、例えばレーザダイオードなどを含む回路により構成され、フレーム処理部２５から入力された上りフレームＦｕを含む電気信号を光信号に変換して光合分波部２８に出力する。
【０１０６】
このように、光−電気変換部２７０及び電気−光変換部２７１は、ＯＬＴ１と光ファイバ９を介して通信するＰＯＮ−ＩＦ２ａとして機能する。
【０１０７】
フレーム処理部２５は、光−電気変換部２７０から入力された下りフレームＦｄのＬＬＩＤを検出し、ＬＬＩＤに基づいて下りフレームＦｄを受信する。フレーム処理部２５は、ＯＬＴ１との間の論理リンクのＬＬＩＤが付与された下りフレームＦｄを受信し、他のＬＬＩＤが付与された下りフレームＦｄを廃棄する。
【０１０８】
フレーム処理部２５は、下りフレームＦｄのうち、ユーザフレームを送受信器２４に出力し、制御フレームから制御メッセージを取得してＨＷ−ＩＦ２３を介しＣＰＵ２０に出力する。
【０１０９】
また、フレーム処理部２５は、上りフレームＦｕにＯＬＴ１との間の論理リンクに応じたＬＬＩＤを付与し電気−光変換部２７１に出力する。上りフレームＦｕの出力は、ＯＬＴ１から指示されたタイミングに従って行われる。論理リンクごとのＬＬＩＤは、ＣＰＵ２０からＨＷ−ＩＦ２３を介してフレーム処理部２５に設定される。
【０１１０】
また、フレーム処理部２５には、ＣＰＵ２０からＨＷ−ＩＦ２３を介し応答メッセージが入力される。フレーム処理部２５は、応答メッセージを含む制御フレームを生成して電気−光変換部２７１に出力する。
【０１１１】
フレーム処理部２５は、各ＯＬＴ１に送信するユーザフレームの信号に制御フレームの信号を時分割多重して送信する。このため、ＯＮＵ２は、制御フレームの信号をユーザフレームの信号に重畳する場合（後述）より低コストで構成される。
【０１１２】
送受信器２４は、小型基地局３との間でデータ信号を送受信し、フレーム処理部２５との間でユーザフレームを入出力する。データ信号の形態としては、例えばイーサネットフレームが挙げられるが、これに限定されない。
【０１１３】
送受信器２４は、小型基地局３からデータ信号を受信してユーザフレームに変換しフレーム処理部２５に出力する。また、送受信器２４は、フレーム処理部２５から入力されたユーザフレームをデータ信号に変換して小型基地局３に送信する。
【０１１４】
このように、送受信器２４は、小型基地局３と通信するＵＮＩ２ｂとして機能する。なお、送受信器２４は、例えばＡＳＩＣまたはＦＰＧＡなどの回路で構成される。
【０１１５】
また、フレーム処理部２５は、転送処理部の一例であり、ＲＮＣ５から小型基地局３に対するスリープ指示信号及びスリープ停止指示信号を、光−電気変換部２７０から送受信器２４に転送する。このため、小型基地局３は、ＲＮＣ５のスリープ制御の指示に従って稼働状態またはスリープ状態に移行する。
【０１１６】
ＲＯＭ２１には、ＣＰＵ２０を駆動するプログラムが格納されている。ＲＡＭ２２は、ＣＰＵ２０のワーキングメモリとして機能する。ＨＷ−ＩＦ２３は、フレーム処理部２５、電気−光変換部２７１、及び送受信器２４をバス２９に接続することにより、ＣＰＵ２０とフレーム処理部２５、電気−光変換部２７１、及び送受信器２４の通信を中継する（点線の矢印を参照）。なお、ＨＷ−ＩＦ２３は、例えばＦＰＧＡやＡＳＩＣなどの論理回路から構成される。
【０１１７】
ＣＰＵ２０は、ＲＯＭ２１からプログラムを読み込むと、機能として、動作制御部２００、リンク処理部２０１、及びスリープ設定部２０２が形成される。動作制御部２００は、ＯＮＵ２の全体の動作を制御し、所定のシーケンスに従いリンク処理部２０１及スリープ設定部２０２に動作を指示する。なお、動作制御部２００、リンク処理部２０１、及びスリープ設定部２０２は、例えばＦＰＧＡやＡＳＩＣなどの論理回路から構成されてもよい。
【０１１８】
リンク処理部２０１は、ＯＬＴ１との間で論理リンクを確立し、論理リンクごとにＬＬＩＤを設定する。このとき、リンク処理部２０１は、ＯＬＴ１との間で制御メッセージを送受信する。リンク処理部２０１は、フレーム処理部２５に対しＬＬＩＤを設定する。
【０１１９】
スリープ設定部２０２は、設定処理部の一例であり、ＯＬＴ１からの制御に従いＵＮＩ２ｂの状態を稼働状態またはスリープ状態に設定する。より具体的には、スリープ設定部２０２は、フレーム処理部２５からＨＷ−ＩＦ２３を介し制御メッセージを受信し、制御メッセージに応じて電気−光変換部２７１及び送受信器２４の状態を設定する。
【０１２０】
スリープ設定部２０２は、制御メッセージがスリープ制御信号である場合、電気−光変換部２７１及び送受信器２４の状態をスリープ状態に設定する。送受信器２４は、スリープ状態において、小型基地局３とデータ信号の送受信を行わないことにより消費電力を低減する。また、電気−光変換部２７１は、スリープ状態において、例えばＬＤの出力光をオフ制御することにより消費電力を低減する。
【０１２１】
スリープ設定部２０２は、制御メッセージがスリープ停止制御信号である場合、電気−光変換部２７１及び送受信器２４の状態を稼働状態に設定する。送受信器２４は、稼働状態において、小型基地局３とデータ信号を送受信し、電気−光変換部２７１は、稼働状態において、例えばＬＤの出力光をオン制御する。
【０１２２】
このように、スリープ設定部２０２は、ＯＬＴ１からの制御に従い電気−光変換部２７１及び送受信器２４の状態を稼働状態またはスリープ状態に移行させる。
【０１２３】
図８は、ＯＮＵ２の動作の一例を示すフローチャートである。本フローチャートは、下りフレームＦｄの受信に応じてＯＮＵ２の状態を設定する処理の一例を示す。
【０１２４】
フレーム処理部２５は、ＯＬＴ１から下りフレームＦｄを受信する（ステップＳｔ２１）。フレーム処理部２５は、下りフレームＦｄが制御フレームであるか否かを判定する（ステップＳｔ２２）。フレーム処理部２５は、下りフレームＦｄがユーザフレームである場合（ステップＳｔ２２のＮｏ）、下りフレームＦｄを送受信器２４に出力することにより、下りフレームＦｄを小型基地局３に送信し（ステップＳｔ３４）、処理を終了する。
【０１２５】
フレーム処理部２５は、下りフレームＦｄが制御フレームである場合（ステップＳｔ２２のＹｅｓ）、制御フレームから制御メッセージを取得し、ＨＷ−ＩＦ２３を介しスリープ設定部２０２に出力する（ステップＳｔ２３）。なお、フレーム処理部２５は、例えば下りフレームＦｄのＤＡに基づき制御フレームを識別する。
【０１２６】
次に、スリープ設定部２０２は、制御メッセージがスリープ制御信号であるか否かを判定する（ステップＳｔ２４）。スリープ設定部２０２は、制御メッセージがスリープ制御信号である場合（ステップＳｔ２４のＹｅｓ）、ＵＮＩ２ｂ、つまり送受信器２４をスリープ状態に設定する（ステップＳｔ２５）。
【０１２７】
次に、スリープ設定部２０２は、制御メッセージに応じた応答メッセージを生成する（ステップＳｔ２６）。応答メッセージは、ＨＷ−ＩＦ２３を介しフレーム処理部２５に出力される。
【０１２８】
次に、フレーム処理部２５は、応答メッセージを含む制御フレームを生成する（ステップＳｔ２７）。次に、フレーム処理部２５は、ＯＬＴ１との論理リンクに応じたＬＬＩＤを制御フレームに付与し、制御フレームをＯＬＴ１に送信する（ステップＳｔ２８）。次に、スリープ設定部２０２は、フレーム処理部２５からの制御フレームの送信完了の通知に応じてＰＯＮ−ＩＦ２ａ、つまり電気−光変換部２７１をスリープ状態に設定し（ステップＳｔ２９）、処理を終了する。
【０１２９】
また、スリープ設定部２０２は、制御メッセージがスリープ制御信号ではない場合（ステップＳｔ２４のＮｏ）、制御メッセージがスリープ停止制御信号であるか否かを判定する（ステップＳｔ３０）。スリープ設定部２０２は、制御メッセージがスリープ停止制御信号ではない場合（ステップＳｔ３０のＮｏ）、処理を終了する。
【０１３０】
また、スリープ設定部２０２は、制御メッセージがスリープ停止制御信号である場合（ステップＳｔ３０のＹｅｓ）、ＵＮＩ２ｂ及びＰＯＮ−ＩＦ２ａを稼働状態に設定する（ステップＳｔ３１）。次に、スリープ設定部２０２は、制御メッセージに応じた応答メッセージを生成する（ステップＳｔ３２）。応答メッセージは、ＨＷ−ＩＦ２３を介しフレーム処理部２５に出力される。
【０１３１】
次に、フレーム処理部２５は、応答メッセージを含む制御フレームを生成する（ステップＳｔ３２）。次に、フレーム処理部２５は、ＯＬＴ１との論理リンクに応じたＬＬＩＤを制御フレームに付与し、制御フレームをＯＬＴ１に送信し（ステップＳｔ３３）、処理を終了する。
【０１３２】
このようにして、ＯＮＵ２は動作する。
【０１３３】
上述したように、ＵＮＩ２ｂは小型基地局３と通信し、ＰＯＮ−ＩＦ２ａは、大型基地局４から取得した端末情報に基づき小型基地局３を制御するＲＮＣ５に接続されたＯＬＴ１と光ファイバ９を介して通信する。フレーム処理部２５は、ＲＮＣ５から小型基地局３に対するスリープ制御の指示をＰＯＮ−ＩＦ２ａからＵＮＩ２ｂに転送する。スリープ設定部２０２は、ＯＬＴ１からの制御に従いＵＮＩ２ｂの状態を稼働状態またはスリープ状態に設定する。
【０１３４】
ＲＮＣ５は、大型基地局４から取得した端末情報に基づき複数の小型基地局３を制御するため、ＯＮＵ２のＵＮＩ２ｂがスリープ状態であっても、そのＯＮＵ２に接続された小型基地局３の状態を端末情報から検出することができる。このため、ＯＮＵ２は、上記の特許文献３とは異なり、ＲＮＣ５が小型基地局３の状態を検出するためにＵＮＩ２ｂを稼働状態に設定する必要がない。
【０１３５】
また、ＯＮＵ２は、スリープ制御の指示をＰＯＮ−ＩＦ２ａからＵＮＩ２ｂに転送し、ＯＬＴ１からの制御に従ってＵＮＩ２ｂの状態を稼働状態またはスリープ状態に設定する。
【０１３６】
したがって、ＯＮＵ２は、ＯＬＴ１からＰＯＮ−ＩＦ２ａ経由でスリープ制御が行われるため、上記の特許文献２とは異なり、ＵＮＩ２ｂをスリープ状態とする場合の時間的な制限が緩和される。よって、上記の通信制御方法によると、ネットワークの節電性能を改善することができる。
【０１３７】
上述した実施例において、ＯＬＴ１は、スリープ制御信号またはスリープ停止制御信号をユーザフレームの信号に時分割多重して送信したが、波長多重または周波数多重によりスリープ制御信号またはスリープ停止制御信号（以下、「スリープ信号」と表記）をユーザフレームの信号に重畳してもよい。この場合、スリープ信号は、ユーザフレームの信号の帯域を圧迫することがないため、ＰＯＮ内のユーザフレームのスループットが、上記の時分割多重の場合より向上する。さらに、スリープ信号は、ユーザフレームの信号より低速とすることができるため、その受信光のパワーを上記の時分割多重の場合より低くすることができる。
【０１３８】
図９は、ＯＬＴ１の他の例を示す構成図である。図９において、図５と共通する構成には同一の符号を付し、その説明は省略する。
【０１３９】
ＯＬＴ１は、ＣＰＵ１０と、ＲＯＭ１１と、ＲＡＭ１２と、ＳＲＡＭ１３と、ＨＷ−ＩＦ１８ａと、送受信器１４と、フレーム処理部１５と、光合分波部１７と、電気−光変換部１６０と、光−電気変換部１６１とを有する。また、ＯＬＴ１は、スリープ制御部１０４ａと、電気−光変換部６０４と、光−電気変換部６０２と、可変光減衰器（VOA: Variable Optical Attenuator）６０３と、合波部６００と、分波部６０１とを有する。
【０１４０】
本例では、上記のスリープ制御部１０４に代えて、スリープ制御部１０４ａが設けられている。スリープ制御部１０４ａは、制御部の一例であり、スリープ制御部１０４と同様に、指示検出部１０３によるスリープ制御の指示の検出に応じ、指示先の小型基地局３に接続されるＯＮＵ２の状態を、光ファイバ９を介し、稼働状態またはスリープ状態に制御する。スリープ制御部１０４ａは、例えばＦＰＧＡやＡＳＩＣなどの論理回路から構成される。
【０１４１】
スリープ制御部１０４ａは、点線で示されているように、ＨＷ−ＩＦ１８ａを介しＣＰＵ１０と通信する。スリープ制御部１０４ａは、スリープ制御部１０４と同様に、動作制御部１００の指示に従い動作する。
【０１４２】
また、スリープ制御部１０４ａは、電気−光変換部６０４及び光−電気変換部６０２を介し、光合分波部１７と電気−光変換部１６０及び光−電気変換部１６１の間の光信号Ｓｕ，Ｓｄの伝送路に接続されている。光合分波部１７と電気−光変換部１６０の間には合波部６００が接続され、光合分波部１７と光−電気変換部１６１の間には分波部６０１が接続されている。スリープ制御部１０４ａは、スリープ信号を光信号Ｓｄの伝送路に出力し、光信号Ｓｕの伝送路からスリープ信号が入力される。
【０１４３】
スリープ制御部１０４ａは、スリープ信号を電気−光変換部６０４に出力する。電気−光変換部６０４は、例えばレーザダイオードなどを含む回路により構成され、電気信号であるスリープ信号を光信号Ｓｄ’に変換して可変光減衰器６０３に出力する。
【０１４４】
可変光減衰器６０３は、スリープ制御部１０４ａから制御された減衰量で光信号Ｓｄ’を減衰させて合波部６００に出力する。合波部６００は、例えば光カプラであり、電気−光変換部１６０から出力された光信号Ｓｄに、スリープ制御部１０４ａから出力された光信号Ｓｄ’を合波する。これにより、下りフレームＦｄの光信号Ｓｄに、スリープ信号を含む光信号Ｓｄ’が重畳される。光信号Ｓｄと光信号Ｓｄ’の重畳信号は光合分波部１７に出力される。
【０１４５】
図１０は、重畳信号の一例を示す波形図である。図１０において、横軸は時間を示す。また、実線は光信号Ｓｄの波形を示し、点線は光信号Ｓｄ’の波形を示す。光信号Ｓｄ’は、例えばＡＳＫ（Amplitude Shift Keying）により変調され、１００（kbps）程度の低速で伝送される。光信号Ｓｄに波長多重される。なお、光信号Ｓｄ’の変調方式は、ＡＳＫに限定されず、ＦＳＫ（Frequency Shift Keying）やＰＳＫ（Phase Shift Keying）であってもよい。
【０１４６】
このように、合波部６００は、重畳部の一例であり、フレーム処理部１５が中継する下りフレームＦｄの光信号Ｓｄに、スリープ信号から得られた光信号Ｓｄ’を重畳する。このため、光信号Ｓｄ’は、下りフレームＦｄの光信号Ｓｄの帯域を圧迫することがない。
【０１４７】
また、分波部６０１は、例えばＷＤＭカプラであり、光合分波部１７から入力された光を、上りフレームＦｕを含む光信号Ｓｕと、応答信号（応答メッセージ）を含む光信号Ｓｕ’に分離する。光信号Ｓｕは光−電気変換部１６１に入力され、光信号Ｓｕ’は光−電気変換部６０２に入力される。
【０１４８】
光−電気変換部６０２は、例えばフォトダイオードなどの回路から構成され、分波部６０１から入力された光信号Ｓｕ’を電気信号に変換してスリープ制御部１０４ａに出力する。
【０１４９】
スリープ制御部１０４ａは、制御信号処理部６１０、復調器６１１、アナログ−デジタル変換部（Ａ／Ｄ）６１２、変調器６１３、及びデジタル−アナログ変換部６１４を有する。制御信号処理部６１０は、動作制御部１００の指示に従ってスリープ信号を生成して変調器６１３に出力する。
【０１５０】
変調器６１３は、スリープ信号を変調してデジタル−アナログ変換部６１４に出力する。デジタル−アナログ変換部６１４は、スリープ信号をデジタル信号からアナログ信号に変換して電気−光変換部６０４に出力する。
【０１５１】
また、制御信号処理部６１０は、可変光減衰器６０３の減衰量を適切な値に調整する。上述したように、光信号Ｓｄ’は下りフレームＦｄの光信号Ｓｄより低速であるため、制御信号処理部６１０は、可変光減衰器６０３により光信号Ｓｄ’のパワーを光信号Ｓｄより低下させることができる。
【０１５２】
アナログ−デジタル変換部６１２は、光−電気変換部６０２から入力された応答信号を、アナログ信号からデジタル信号に変換して復調器６１１に出力する。復調器６１１は、応答信号を復調して制御信号処理部６１０に出力する。
【０１５３】
本例において、スリープ信号は、光学的に下りフレームＦｄの信号に重畳されたが、電気的に下りフレームＦｄの信号に重畳されてもよい。
【０１５４】
図１１は、ＯＬＴ１の他の例を示す構成図である。図１１において、図９と共通する構成には同一の符号を付し、その説明は省略する。
【０１５５】
ＯＬＴ１は、ＣＰＵ１０と、ＲＯＭ１１と、ＲＡＭ１２と、ＳＲＡＭ１３と、ＨＷ−ＩＦ１８ａと、送受信器１４と、フレーム処理部１５と、光合分波部１７と、電気−光変換部１６０と、光−電気変換部１６１とを有する。また、ＯＬＴ１は、スリープ制御部１０４ａと、電気カプラ（ＣＰ）６０５と、電気スプリッタ（ＳＰ）６０６とを有する。
【０１５６】
電気カプラ６０５は、フレーム処理部１５と電気−光変換部１６０の間に接続され、電気スプリッタ６０６は、フレーム処理部１５と光−電気変換部１６１の間に接続されている。電気カプラ６０５は、スリープ制御部１０４ａから入力されたスリープ信号Ｓｃを、フレーム処理部１５から入力された下りフレームＦｄの信号に電気的に重畳する。スリープ信号Ｓｃと下りフレームＦｄの信号の重畳信号は、電気−光変換部１６０に出力される。
【０１５７】
また、電気スプリッタ６０６は、光−電気変換部１６１から入力された電気信号を応答信号Ｓｒと上りフレームＦｕの信号に電気的に分離する。応答信号Ｓｒはスリープ制御部１０４ａに出力され、上りフレームＦｕの信号はフレーム処理部１５に出力される。
【０１５８】
このように、電気カプラ６０５は、重畳部の一例であり、フレーム処理部１５が中継する下りフレームＦｄの信号に、スリープ信号Ｓｃを重畳する。このため、スリープ信号Ｓｃは、下りフレームＦｄの信号の帯域を圧迫することがない。
【０１５９】
図１２は、ＯＬＴ１の重畳信号の送信処理の一例を示すフローチャートである。制御信号処理部６１０は、スリープ制御部１０４と同様の条件に基づきスリープ信号を生成する（ステップＳｔ４１）。次に、変調器６１３は、スリープ信号を変調する（ステップＳｔ４２）。
【０１６０】
次に、合波部６００または電気カプラ６０５は、下りフレームＦｄの信号にスリープ信号を重畳する（ステップＳｔ４３）。電気−光変換部１６０，６０４は、下りフレームＦｄの信号とスリープ信号の重畳信号を各ＯＮＵ２に送信する（ステップＳｔ４４）。このようにして、ＯＬＴ１は重畳信号の送信処理を実行する。
【０１６１】
次に、本例のＯＬＴ１に対応するＯＮＵ２の構成を述べる。
【０１６２】
図１３は、ＯＮＵ２の他の例を示す構成図である。本例のＯＮＵ２は、図９のＯＬＴ１に対応する。図１３において、図７と共通する構成には同一の符号を付し、その説明は省略する。
【０１６３】
ＯＮＵ２は、ＣＰＵ２０と、ＲＯＭ２１と、ＲＡＭ２２と、ＨＷ−ＩＦ２３と、光合分波部２８と、光−電気変換部２７０と、電気−光変換部２７１と、フレーム処理部２５と、送受信器２４とを有する。また、ＯＮＵ２は、スリープ設定部２０２ａと、光−電気変換部７０２と、電気−光変換部７０４と、合波部７０１と、分波部７００とを有する。
【０１６４】
本例では、上記のスリープ設定部２０２に代えて、スリープ設定部２０２ａが設けられている。スリープ設定部２０２ａは、設定処理部の一例であり、スリープ設定部２０２と同様に、ＯＬＴ１からの制御に従いＵＮＩ２ｂの状態を稼働状態またはスリープ状態に設定する。
【０１６５】
また、スリープ設定部２０２ａは、電気−光変換部７０４及び光−電気変換部７０２を介し、光合分波部２８と電気−光変換部２７１及び光−電気変換部２７０の間の光信号Ｓｕ，Ｓｄの伝送路に接続されている。光合分波部２８と電気−光変換部２７１の間には合波部７０１が接続され、光合分波部２８と光−電気変換部２７０の間には分波部７００が接続されている。スリープ設定部２０２ａは、応答信号（応答メッセージ）を光信号Ｓｕの伝送路に出力し、光信号Ｓｄの伝送路から応答信号が入力される。
【０１６６】
スリープ設定部２０２ａは、応答信号を電気−光変換部７０４に出力する。電気−光変換部７０４は、例えばレーザダイオードなどを含む回路により構成され、電気信号である応答信号を光信号Ｓｕ’に変換して合波部７０１に出力する。
【０１６７】
合波部７０１は、例えば光カプラであり、電気−光変換部２７１から出力された光信号Ｓｕに、スリープ設定部２０２ａから出力された光信号Ｓｄ’を合波する。これにより、上りフレームＦｕの光信号Ｓｕに、応答信号を含む光信号Ｓｕ’が重畳される。光信号Ｓｕと光信号Ｓｕ’の重畳信号は光合分波部２８に出力される。
【０１６８】
また、分波部７００は、例えばＷＤＭカプラであり、光合分波部２８から入力された光を、下りフレームＦｄを含む光信号Ｓｄと、スリープ信号を含む光信号Ｓｄ’に分離する。すなわち、分波部７００は、分離部の一例であり、ＰＯＮ−ＩＦ２ａがＯＬＴ１から受信した信号から、その信号に重畳されたスリープ信号を分離する。なお、スリープ信号は設定信号の一例である。光信号Ｓｄは光−電気変換部２７０に入力され、光信号Ｓｄ’は光−電気変換部７０２に入力される。
【０１６９】
光−電気変換部７０２は、例えばフォトダイオードなどの回路から構成され、分波部７００から入力された光信号Ｓｄ’を電気信号に変換してスリープ設定部２０２ａに出力する。これにより、スリープ信号がスリープ設定部２０２ａに入力される。
【０１７０】
スリープ設定部２０２ａは、制御信号処理部７１０、復調器７１１、アナログ−デジタル変換部（Ａ／Ｄ）７１２、変調器７１３、及びデジタル−アナログ変換部７１４を有する。制御信号処理部７１０は、スリープ信号に従って送受信器２４をスリープ状態に設定し応答信号を生成する。スリープ設定部２０２ａは、応答信号を変調器７１３に出力する。
【０１７１】
変調器７１３は、応答信号を変調してデジタル−アナログ変換部７１４に出力する。デジタル−アナログ変換部７１４は、応答信号をデジタル信号からアナログ信号に変換して電気−光変換部７０４に出力する。
【０１７２】
アナログ−デジタル変換部７１２は、光−電気変換部７０２から入力されたスリープ信号を、アナログ信号からデジタル信号に変換して復調器７１１に出力する。復調器７１１は、スリープ信号を復調してスリープ設定部２０２ａに出力する。
【０１７３】
ＯＮＵ２は、上記の構成により、ＯＬＴ１から受信した重畳信号から光学的にスリープ信号を取得し、また、応答信号を上りフレームＦｕの信号に光学的に重畳してＯＬＴ１に送信する。
【０１７４】
図１４は、ＯＮＵ２の他の例を示す構成図である。本例のＯＮＵ２は、図１１のＯＬＴ１に対応する。図１４において、図１３と共通する構成には同一の符号を付し、その説明は省略する。
【０１７５】
ＯＮＵ２は、ＣＰＵ２０と、ＲＯＭ２１と、ＲＡＭ２２と、ＨＷ−ＩＦ２３と、光合分波部２８と、光−電気変換部２７０と、電気−光変換部２７１と、フレーム処理部２５と、送受信器２４とを有する。また、ＯＮＵ２は、スリープ設定部２０２ａと、電気カプラ（ＣＰ）７０６と、電気スプリッタ（ＳＰ）７０５とを有する。
【０１７６】
電気カプラ７０６は、フレーム処理部２５と電気−光変換部２７１の間に接続され、電気スプリッタ７０５は、フレーム処理部２５と光−電気変換部２７０の間に接続されている。電気カプラ７０６は、スリープ設定部２０２ａから入力された応答信号Ｓｒを、フレーム処理部２５から入力された上りフレームＦｕの信号に電気的に重畳する。応答信号Ｓｒと上りフレームＦｕの信号の重畳信号は、電気−光変換部２７１に出力される。
【０１７７】
また、電気スプリッタ７０５は、光−電気変換部２７０から入力された電気信号をスリープ信号Ｓｃと下りフレームＦｄの信号に電気的に分離する。すなわち、電気スプリッタ７０５は、分離部の一例であり、ＰＯＮ−ＩＦ２ａがＯＬＴ１から受信した信号から、その信号に重畳されたスリープ信号Ｓｃを分離する。スリープ信号Ｓｃはスリープ設定部２０２ａに出力され、下りフレームＦｄの信号はフレーム処理部２５に出力される。
【０１７８】
ＯＮＵ２は、上記の構成により、ＯＬＴ１から受信した重畳信号から電気的にスリープ信号を取得し、また、応答信号を上りフレームＦｕの信号に電気的に重畳してＯＬＴ１に送信する。
【０１７９】
図１５は、ＯＮＵ２の重畳信号の受信処理の一例を示すフローチャートである。分波部７００または電気スプリッタ７０５は、ＯＬ１から伝送路９を介し入力された重畳信号からスリープ信号を分離する（ステップＳｔ５１）。次に、復調器７１１は、スリープ信号を復調する（ステップＳｔ５２）。
【０１８０】
次に、制御信号処理部７１０は、スリープ信号を受信する（ステップＳｔ５３）。このようにして、ＯＮＵ２は重畳信号の受信処理を実行する。
【０１８１】
上述した実施形態は本発明の好適な実施の例である。但し、これに限定されるものではなく、本発明の要旨を逸脱しない範囲内において種々変形実施可能である。
【０１８２】
なお、以上の説明に関して更に以下の付記を開示する。
（付記１）  伝送路の分岐先の複数の光終端装置にそれぞれ接続される複数の第１基地局と、前記複数の第１基地局の各セルと重なるセルをカバーする第２基地局から取得した情報に基づき前記複数の第１基地局をそれぞれ制御する制御装置との間の通信を中継する中継処理部と、
前記制御装置から前記複数の第１基地局の１つに対するスリープ制御の指示を、前記中継処理部が中継する通信から検出する検出部と、
前記スリープ制御の指示の検出に応じ、前記複数の光終端装置のうち、前記複数の第１基地局の１つに接続される光終端装置の状態を、前記伝送路を介し、稼働状態、または、前記稼働状態より消費電力が少ないスリープ状態に制御する制御部とを有することを特徴とする光端局装置。
（付記２）  前記制御部は、前記スリープ制御の指示の検出に応じ、前記複数の光終端装置のうち、前記複数の第１基地局の１つに接続される光終端装置の状態を制御する制御信号を生成し、
前記中継処理部は、前記中継する通信の信号のうち、前記複数の光終端装置に送信する信号に前記制御信号を時分割多重して送信することを特徴とする付記１に記載の光端局装置。
（付記３）  前記中継処理部が中継する通信の信号に他の信号を重畳する重畳部を有し、
前記制御部は、前記スリープ制御の指示の検出に応じ、前記複数の光終端装置のうち、前記複数の第１基地局の１つに接続される光終端装置の状態を制御する制御信号を生成し、
前記重畳部は、前記中継する通信の信号のうち、前記複数の光終端装置に送信する信号に前記制御信号を重畳することを特徴とする付記１に記載の光端局装置。
（付記４）  第１基地局と通信する第１通信処理部と、
前記第１基地局のセルと重なるセルをカバーする第２基地局から取得した情報に基づき前記第１基地局を制御する制御装置に接続される光端局装置と、前記光端局装置の分岐した伝送路を介し通信する第２通信処理部と、
前記制御装置から前記第１基地局に対するスリープ制御の指示を前記第２通信処理部から前記第１通信処理部に転送する転送処理部と、
前記光端局装置からの制御に従い前記第２通信処理部の状態を稼働状態、または、前記稼働状態より消費電力が少ないスリープ状態に設定する設定処理部とを有することを特徴とする光終端装置。
（付記５）  前記第２通信処理部が前記光端局装置から受信した信号から、前記受信した信号に重畳された設定信号を分離する分離部を有し、
前記設定処理部は、前記設定信号に従い、前記第２通信処理部の状態を前記稼働状態または前記スリープ状態に設定することを特徴とする付記４に記載の光終端装置。
（付記６）  光端局装置に接続された制御装置が、前記光端局装置の伝送路の分岐先の複数の光終端装置にそれぞれ接続される複数の第１基地局を、前記複数の第１基地局の各セルと重なるセルをカバーする第２基地局から取得した情報に基づき制御し、
前記光端局装置は、
前記複数の第１基地局と前記制御装置の間の通信を中継し、
前記制御装置から前記複数の第１基地局の１つに対するスリープ制御の指示を、前記中継する通信から検出し、
前記スリープ制御の指示の検出に応じ、前記複数の光終端装置のうち、前記複数の第１基地局の１つに接続される光終端装置の状態を、前記伝送路を介し、稼働状態、または、前記稼働状態より消費電力が少ないスリープ状態に制御し、
前記複数の第１基地局の１つに接続される光終端装置は、
第１通信処理部により前記複数の第１基地局の１つと通信し、
第２通信処理部により前記光端局装置と前記伝送路を介して通信し、
前記複数の第１基地局の１つに対する前記スリープ制御の指示を前記第２通信処理部から前記第１通信処理部に転送し、
前記光端局装置からの制御に従い前記第２通信処理部の状態を稼働状態、または、前記稼働状態より消費電力が少ないスリープ状態に設定することを特徴とする通信制御方法。
（付記７）  前記光端局装置は、
前記スリープ制御の指示の検出に応じ、前記複数の光終端装置のうち、前記複数の第１基地局の１つに接続される光終端装置の状態を制御する制御信号を生成し、
前記中継する通信の信号のうち、前記複数の光終端装置に送信する信号に前記制御信号を時分割多重して送信することを特徴とする付記６に記載の通信制御方法。
（付記８）  前記光端局装置は、
前記スリープ制御の指示の検出に応じ、前記複数の光終端装置のうち、前記複数の第１基地局の１つに接続される光終端装置の状態を制御する制御信号を生成し、
前記中継する通信の信号のうち、前記複数の光終端装置に送信する信号に前記制御信号を重畳することを特徴とする付記６に記載の通信制御方法。
（付記９）  前記光終端装置は、
前記第２通信処理部が前記光端局装置から受信した信号から、前記受信した信号に重畳された設定信号を分離し、
前記設定信号に従い、前記第２通信処理部の状態を前記稼働状態または前記スリープ状態に設定することを特徴とする付記６乃至８に記載の通信制御方法。
【符号の説明】
【０１８３】
１       ＯＬＴ
２       ＯＮＵ
２ａ       ＰＯＮ−ＩＦ
２ｂ       ＵＮＩ
３       小型基地局
４       大型基地局
５       ＲＮＣ
９       光ファイバ
１４，２４      送受信器
１５，２５      フレーム処理部
１０３      指示検出部
１０４，１０４ａ     スリープ制御部
６００      合波部
６０５      電気カプラ
ＳＣ       スモールセル
ＭＣ       マクロセル
【図１】
2018207457.tif 000003
【図２】
2018207457.tif 000004
【図３】
2018207457.tif 000005
【図４】
2018207457.tif 000006
【図５】
2018207457.tif 000007
【図６】
2018207457.tif 000008
【図７】
2018207457.tif 000009
【図８】
2018207457.tif 000010
【図９】
2018207457.tif 000011
【図１０】
2018207457.tif 000012
【図１１】
2018207457.tif 000013
【図１２】
2018207457.tif 000014
【図１３】
2018207457.tif 000015
【図１４】
2018207457.tif 000016
【図１５】
2018207457.tif 000017